(57)【特許請求の範囲】
【請求項１】
引渡し時に平らな物品の開いた縁部を制限するための装置において、
外面を有する引渡し機構が設けられており、該引渡し機構が、外面上において平らな物品を引き渡すようになっており、
ガイド機構が設けられており、該ガイド機構が、引渡し機構の外面に近接して配置されており、前記ガイド機構が、平らな物品の開いた縁部に重なり、これにより、平らな物品が外面上において引き渡される場合にガイド機構が平らな物品を制限するようになっており、前記引渡し機構が少なくとも１つのグリッパを有しており、前記ガイド機構が少なくとも１つのスロットを有しており、前記少なくとも１つのグリッパが少なくとも１つのフィンガを有しており、該少なくとも１つのフィンガが、前記少なくとも１つのスロットと整合しており該少なくとも１つのスロットを通過するようになっていることを特徴とする、引渡し時に平らな物品の開いた縁部を制限するための装置。
【請求項２】
前記ガイド機構が複数のスロットを有しており、前記少なくとも１つのグリッパが、複数のフィンガを有しており、該複数のフィンガが、複数のスロットと整合しており該少なくともスロットを通過するようになっている、請求項１記載の装置。
【請求項３】
前記引渡し機構が胴である、請求項１記載の装置。
【請求項４】
前記引渡し機構が、該引渡し機構の周面に沿って間隔を置かれた複数のグリッパを有している、請求項１記載の装置。
【請求項５】
搬送機構が設けられており、該搬送機構が、前記引渡し機構に平らな物品を供給するようになっている、請求項１記載の装置。
【請求項６】
前記搬送機構が、少なくとも１つのベルトを有している、請求項５記載の装置。
【請求項７】
前記少なくとも１つのベルトが、少なくとも１つの平らな物品の開いた縁部に重なっている、請求項６記載の装置。
【請求項８】
印刷機において折られた刷本の開いた縁部を制限するための装置において、
外面を有する胴が設けられており、該胴が、折られた刷本を外面上において引き渡すようになっており、
ガイド機構が設けられており、該ガイド機構が、胴の外面に近接して配置されておりかつ該外面の輪郭に従っており、ガイド機構が、折られた刷本の開いた縁部に重なっており、これにより、折られた刷本が外面において引き渡される場合にガイド機構が開いた縁部を制限するようになっており、前記胴が、少なくとも１つのグリッパを有しており、前記ガイド機構が、少なくとも１つのスロットを有しており、前記少なくとも１つのグリッパが、折られた刷本の開いた縁部に隣接して少なくとも１つのフィンガを有しており、該少なくとも１つのフィンガが、少なくとも１つのスロットと整合しておりかつ該少なくとも１つのスロットを通過するようになっていることを特徴とする、印刷機において折られた刷本の開いた縁部を制限するための装置。
【請求項９】
前記ガイド機構が複数のスロットを有しており、前記少なくとも１つのグリッパが、折られた刷本の開いた縁部に隣接した複数のフィンガを有しており、該複数のフィンガが、複数のスロットと整合しておりかつ該複数のスロットを通過するようになっている、請求項８記載の装置。
【請求項１０】
前記胴が、複数の前縁グリッパと複数の後縁グリッパとを有する逸らせ胴である、請求項８記載の装置。
【請求項１１】
減速ドラムが設けられており、該減速ドラムが、折られた刷本を胴の外面に掴むようになっている、請求項８記載の装置。
【請求項１２】
搬送機構が設けられており、該搬送機構が折られた刷本を胴に供給するようになっている、請求項８記載の装置。
【請求項１３】
前記搬送機構が、少なくとも１つのベルトを有している、請求項１２記載の装置。
【請求項１４】
前記少なくとも１つのベルトが、折られた刷本の開いた縁部に重なっている、請求項１３記載の装置。
【請求項１５】
平らな物品の開いた縁部を制限するための方法において、
平らな物品を引渡し機構へ供給し、
平らな物品を引渡し機構の外面において引渡し、
平らな物品を、引渡し機構の外面と、引渡し機構の外面に近接して配置されていてかつ平らな物品の開いた縁部に重なっているガイド機構との間において制限し、平らな物品が引渡し機構の外面とガイド機構との間において制限されているときに前記平らな物品を掴み、グリッパの少なくとも１つのフィンガを、ガイド機構に設けられた少なくとも１つのスロットに通過させることを特徴とする、平らな物品の開いた縁部を制限するための方法。
【請求項１６】
グリッパの複数のフィンガを、ガイド機構に設けられた複数のスロットに通過させる、請求項１５記載の方法。
【請求項１７】
少なくとも１つのベルトを使用して平らな物品を搬送する、請求項１５記載の方法。
【請求項１８】
少なくとも１つの平らな物品の開いた縁部を少なくとも１つのベルトと重ねる、請求項１７記載の方法。
【請求項１９】
印刷機において折られた刷本の開いた縁部を制限するための方法において、
折丁を胴へ供給し、
前記折丁を前記胴の外面において引き渡し、
前記折丁を、胴の外面と、該胴の外面に近接して配置されていてかつ折丁の開いた縁部に重なっているガイド機構との間において制限し、折られた刷本が、引渡し機構の外面とガイド機構との間において制限されているときに、折られた刷本を掴み、グリッパの少なくとも１つのフィンガを、ガイド機構に設けられた少なくとも１つのスロットに通過させることを特徴とする、印刷機において折られた刷本の開いた縁部を制限するための方法。
【請求項２０】
グリッパの複数のフィンガを、ガイド機構に設けられた複数のスロットに通過させる、請求項１９記載の方法。
【請求項２１】
少なくとも１つのベルトを使用して平らな物品を搬送する、請求項１９記載の方法。
【請求項２２】
少なくとも１つの平らな物品の開いた縁部を少なくとも１つのベルトと重ねる、請求項２１記載の方法。
【発明の詳細な説明】
【０００１】
【発明の属する技術分野】
本発明は、印刷機において刷本の縁部を制限するための方法及び装置に関する。特に、本発明は、折丁が印刷機におけるコンポーネントの間を引き渡される場合に、印刷機において生じる、折丁の開いた縁部における折れ込みを防止する方法及び装置に関する。
【０００２】
【従来の技術】
例えばオフセット印刷機等の、連続的な材料ウェブに印刷する印刷機においては、印刷されたウェブを刷本に裁断し、この後刷本を、時々折丁と呼ばれるものに折ることが知られている。刷本は、印刷機における材料ウェブの裁断されたセクションであるのに対し、折丁は、１箇所又は２箇所以上において折り畳まれた刷本である。図６は、折丁に折られ、閉じた若しくは折られた縁部Ｆと開いた縁部Ｏとを有する刷本Ｓの図である。折丁の形式の刷本Ｓは、雑誌等の被印刷製品を製造するために、丁合されて束ねられる。
【０００３】
現代の印刷機において、極めて高速でウェブを刷本に裁断し、刷本を折丁に折ることが必要である。択一的に、まずウェブを折ってから、折られたウェブを折丁に裁断することができる。印刷されたウェブを比較的均一なサイズの刷本に正確に高速で裁断し、この後刷本を比較的均一なサイズの折丁に高速で折るために、様々な機構が知られている。高速でウェブを折り、この後印刷されかつ折られたウェブを比較的均一なサイズの折丁に正確に裁断するための様々な機構も知られている。
【０００４】
公知の印刷機においては、折丁の形式の折られた刷本は、裁断及び折り機構からテープ駆動装置を介して排出される。図４は、折丁Ｓが方向Ｄに裁断及び折り機構Ｍからテープ駆動装置Ｔを介して排出される従来の印刷機の側部横断面図であり、図５は、その部分的な斜視図である。テープ駆動装置Ｔは、連続的に方向ｄに移動する１つ又は２つ以上のテープ又はベルトＢを有しており、これらのベルトは、折られた刷本若しくは折丁Ｓの少なくとも一方の側に係合し、この折られた刷本若しくは折丁を線形方向に搬送する。通常、テープ駆動装置Ｔは、折られた刷本若しくは折丁Ｓの開いた縁部Ｏに重なるテープ又はベルトＢを有しており、このテープ又はベルトＢは、折られた刷本若しくは折丁Ｓの折られた幅Ｗが変化したとしても開いた縁部Ｏが常にテープ又はベルトＢの下方に位置するように、十分な幅を有している。したがって、この配列は、開いた縁部Ｏがテープ又はベルトＢによって押さえつけられ、開いた縁部Ｏの角隅Ｃの折れ込みを防止することを保証する。
【０００５】
図４に示した従来の装置に設けられたテープ駆動装置Ｔは、折られた刷本若しくは折丁Ｓを引渡し装置１０１に引き渡す。引渡し装置１０１は方向Ｒ１へ回転してよく、折られた刷本若しくは折丁Ｓをその外面に保持するための機構を有していてよい。図４に示した折丁Ｓは、テープ駆動装置Ｔによって引渡し装置１０１の外周面に引き渡され、制限されずに間隙Ｇを横切った後、刷本Ｓの前縁ｌは、方向Ｒ２に回転する減速ドラム６の周囲（減速ドラムの周囲は破線で示されている）から突出した前縁掴み機構４，５によって掴まれる。
【０００６】
図４及び図５に示したような公知の折られた刷本若しくは折丁引渡し機構に関する１つの問題は、折られた刷本若しくは折丁Ｓの開いた縁部Ｏの角隅が、テープ駆動装置Ｔから減速ドラム６への引渡し、テープ駆動装置Ｔから引渡し装置１０１への引渡し、又は引渡し装置１０１から、下流の減速ドラム等の他のあらゆる引渡し機構への引渡し時に、折れ込みを生じる傾向があることである。折れ込みとは、図６に破線で示したように、柔軟なシート又は刷本の角隅Ｃ′又は縁部が望ましくない形式で曲がったり折れたりした状態をいう。引渡しステップ時に折られた刷本若しくは折丁Ｓの折れ込みの発生率を低減するために使用されてきた１つの解決手段は、折られた刷本若しくは折丁Ｓを静電的に帯電させることである。１つの従来の装置においては、ウェブは折り機を通過し、１箇所又は２箇所以上において折られる。次いで、折られたウェブは、折られたウェブを横切って電圧を生ぜしめることにより静電的に帯電され、次いで、帯電したウェブが、折られた刷本若しくは折丁Ｓに裁断される。その結果、折られた刷本若しくは折丁Ｓにおける電荷により、折られた刷本若しくは折丁Ｓの側部が、互いに静電的に引き付けられる又は付着させられる。この２つの帯電した側部のこの付着により、開いた縁部Ｏが互いに付着し、これにより引渡し機構へ提供される開いた縁部Ｏの厚さを増大させ、角隅が制限から解放されて折れ込みを生じる機会を減じる。
【０００７】
折れ込みを防止するための静電的付着の公知の使用において発見された不都合は、静電的付着が、折られた刷本若しくは折丁Ｓへの後の作業に対する妨害となる虞があることである。例えば、雑誌を形成するために、一連の折られた刷本若しくは折丁Ｓを、折られた刷本若しくは折丁Ｓを差し込むことによって丁合したい場合には、折られた刷本若しくは折丁Ｓの開いた縁部Ｏは、開いた縁部の間に別の折られた刷本若しくは折丁を挿入するために互いに開かれなければならない。しかしながら、互いに対する開いた縁部Oの静電的付着は、開き作業及び差込み作業を妨害する。静電的付着の使用に関する別の問題は、これが、折られた刷本若しくは折丁Ｓの開いた縁部Ｏの確実な制御ではなく、ひいては、静電的付着により生ぜしめられる開いた縁部Ｏの増大した剛性にも拘わらず、折れ込みが依然として生じる虞があるということである。
【０００８】
【発明が解決しようとする課題】
したがって、本発明の課題は、静電的付着を用いる必要なしに、折られた刷本若しくは折丁の開いた縁部の角隅の折れ込みを排除するように設計された装置及び方法を提供することである。
【０００９】
【課題を解決するための手段】
本発明は、静電的付着を用いる必要なしに、折られた刷本若しくは折丁Ｓの開いた縁部の角隅Ｃの折れ込みを排除するように設計された装置及び方法である。したがって、本発明の装置及び方法は、折られた刷本若しくは折丁Ｓの後の作業に対する潜在的妨害を提供しないので、公知の引渡し技術よりも利点を提供する。
【００１０】
本発明の装置においては、例えばテープ駆動装置、逸らせ胴及び／又は減速ドラムの間にガイド機構が設けられている。ガイド機構は、引き渡されている折丁の開いた縁部の位置に配置されていると有利であるが、別の箇所に付加的なガイド機構を配置することもできる。ガイド機構は、折られた刷本若しくは折丁の折られた幅の変化を許容する幅を有していると有利である。ガイド機構は、幅に亘って一連の狭幅なスロット又は微小スロットを有している。ガイド機構の領域に配置された掴み装置は、この掴み装置の幅に亘って一連の狭幅なフィンガ又は微小フィンガを有している。掴み機構の微小フィンガは、ガイド機構の微小スロットを通過するように設計されている。ガイド機構は、引渡し機構の間のあらゆる間隙に亘って、引渡し機構から離れる方向への折丁の開いた縁部の動きを制限し、これにより、折丁が引渡し機構の間において引き渡される場合に、折られた刷本若しくは折丁の開いた縁部の折れ込みを防止するように設計されている。
【００１１】
本発明の方法においては、折られた刷本若しくは折丁は、引渡し機構と、少なくとも折られた刷本若しくは折丁の開いた縁部の領域に位置したガイド機構との間において引き渡される。ガイド機構は、このガイド機構の幅に亘って設けられた一連の狭幅なスロット又は微小スロットを有しており、各スロットは、ガイド機構の長さに沿って延びている。一連の狭幅なフィンガ又は微小フィンガを有する引渡しグリッパは、折られた刷本若しくは折丁がガイド機構の端部から排出される前に折られた刷本若しくは折丁を掴む。引渡し機構の微小フィンガは、ガイド機構に設けられた微小スロットを通過し、これにより、折られた刷本若しくは折丁がガイド機構の端部から排出される前に折られた刷本若しくは折丁が掴まれることを許容する。
【００１２】
【発明の実施の形態】
以下に本発明の実施の形態を図面につきさらに詳しく説明する。
【００１３】
図１には、裁断及び折り機構Ｍから方向Ｄに逸らせ胴１に向かって排出される折られた刷本若しくは折丁Ｓの上面図が示されている。折られた刷本若しくは折丁Ｓは、閉じられた又は折られた縁部Ｆと、開いた縁部Ｏと、前縁ｌと、後縁ｔとを有している。折られた刷本若しくは折丁Ｓの折られた幅Ｗは、裁断及び折り機構Ｍにおいて行われる裁断及び折りプロセスの間に生じる変化により、変化することができる。折られた幅Ｗのこれらの可能な変化は、図１に変化寸法νによって示されており、この寸法は図１に斜線で示されている。
【００１４】
裁断及び折り機構Ｍから排出されるとき、折られた刷本若しくは折丁Ｓは、少なくとも１つのベルトＢを有するテープ駆動装置Ｔによって搬送される。ベルトＢは図１において部分的に省略されている。図１に示した実施例においては、ベルトＢは、折られた刷本若しくは折丁Ｓの開いた縁部Ｏと整合しており、また、ベルトＢへ供給されるあらゆる特定の折られた刷本若しくは折丁Ｓにおける変化νがいかなるものであろうとも、開いた縁部ＯがベルトＢに接触することを保証するような幅を有している。その結果、ベルトＢは開いた縁部Ｏを制限し、折られた刷本若しくは折丁ＳがベルトＢによって搬送される場合に折れ込みが生じることを防止する。
【００１５】
テープ駆動装置Ｔは、折られた刷本若しくは折丁Ｓを逸らせ胴１へ引き渡す。逸らせ胴１は方向Ｒ１へ回転し、周面に沿って交互に設けられた前縁グリッパ２と後縁グリッパ３とを有している。前縁グリッパ２と後縁グリッパ３とは、図１及び図２に示したように、逸らせ胴１の周面に沿って延びたスロット７に取り付けられた一連のフィンガ２′又は３′を有している。前縁グリッパ２と後縁グリッパ３とは、逸らせ胴１に旋回可能に取り付けられているので、テープ駆動装置Ｔから排出される、交替する折られた刷本若しくは折丁の前縁ｌ又は後縁ｔを掴むように逸らせ胴１に向かって旋回してよい。折られた刷本若しくは折丁Ｓの折られた幅Ｗの変化は、種々異なる標準的製品本幅を許容するために、以下に説明するガイド機構２０と相俟って、フィンガ２′又は３′によって許容されてよい。閉じられた側は、この閉じられた側Ｃがフィンガ２′又は３′のうちの１つの近傍に理想的に配置される位置において、逸らせ胴１の幅に沿って配置されることができるのに対し、開いた縁部Ｏガイド機構の下方に位置するように配置される。その結果、縁部Ｃ，Ｏは、幅Ｗ又は変化νが何であろうとも、理想的に制限されるように配置される。
【００１６】
逸らせ胴１の開いた側の端部２５の上方にはガイド機構２０が取り付けられている。図２及び図３により明確に示したように、ガイド機構２０は、一方の端部において、テープ駆動装置ＴのベルトＢのためのプーリに取り付けられているか、このプーリを包囲していてよい。ガイド機構２０の他方の端部において、ガイド機構２０は、このガイド機構２０の幅に亘って一連の狭幅なスロット又は微小スロット２１を有しており、これらのスロットは、逸らせ胴１の回転方向Ｒ１に延びている。ガイド機構２０の下面２６は、逸らせ胴１の外周面に隣接し、この外周面の輪郭に従っている。この下面２６の輪郭は、あらゆる刷本の開いた縁部Ｏが逸らせ胴１の外周面とガイド機構０の下面２６との間に強制され、これにより折られた刷本若しくは折丁Ｓの角隅Ｃの折れ込みを防止することを保証する。
【００１７】
ガイド機構２０の幅ｗは、折られた刷本若しくは折丁Ｓの折られた幅Ｗの変化νを許容するように選択されている。したがって、幅ｗは、折られた幅Ｗのいかなる変化νにも拘わらず、ガイド機構が折られた刷本若しくは折丁Ｓの開いた縁部Ｏの上方に位置することを保証する。
【００１８】
逸らせ胴１の開いた側の端部２５に隣接した、前縁グリッパ２及び後縁グリッパ３の一部は、一連の狭幅なフィンガ又は微小フィンガ２２の形式であり、この一連の狭幅なフィンガ又は微小フィンガは、微小スロットと整合するように及び逸らせ胴１が方向Ｒ１に回転しながら微小スロット２１を通過するように位置決めされている。また、フィンガ又は微小フィンガ２２は、折られた刷本若しくは折丁の開いた縁部Ｏに隣接している。この場合、折られた刷本若しくは折丁Ｓがテープ駆動装置Ｔから排出されるときに前縁グリッパ２と後縁グリッパ３とが折られた刷本若しくは折丁Ｓの前縁ｌと後縁ｔとを掴む場合に、前縁グリッパ２及び後縁グリッパ３の動作とガイド機構２０との間に妨害は存在しない。テープ駆動装置Ｔと逸らせ胴１との間に配置された下部ガイドブラケット２４も、一連の狭幅なスロット又は微小スロット２７を有しており、これらのスロット又は微小スロットを通って、逸らせ胴１が方向Ｒ１に回転しながら一連の狭幅なフィンガ又は微小フィンガ２２が通過する。この下部ガイドブラケット２４は、折られた刷本若しくは折丁Ｓが逸らせ胴１の外周面に接触する前に、テープ駆動装置Ｔにおける折られた刷本若しくは折丁Ｓの下側を支持する。一連の狭幅なフィンガ又は微小フィンガ２２は、前縁グリッパ２及び後縁グリッパ３の一部を形成しており、折られた刷本若しくは折丁Ｓの前縁ｌまたは後縁ｔを掴んだり解放したりするためにフィンガ２′又は３′が旋回するときに、これらのフィンガ２′又は３′と共に旋回する。
【００１９】
図３に示したように、ガイド機構２０は、減速ドラム６が折られた刷本若しくは折丁Ｓの前縁ｌを掴む位置を越えて延びており、これにより、折られた刷本若しくは折丁Ｓが、折られた刷本若しくは折丁Ｓによって走行されるテープ駆動装置Ｔと減速ドラム６との間の距離全体に亘り、ガイド機構２０と逸らせ胴１との間に制限されることを保証する。図１に示したように、減速ドラム６の縁部掴み機構４，５とガイド機構２０との間の妨害を防止するために、減速ドラム６の縁部掴み機構４，５の側部は、逸らせ胴１の開いた側の端部２５において、狭幅なフィンガ又は微小フィンガ２８を有している。微小フィンガ２２のようなこれらの微小フィンガ２８は、狭幅なスロット又は微小スロット２７と整合しており、減速ドラム６が方向Ｒ２に回転しながら狭幅なスロット又は微小スロット２７を通過する。
【００２０】
本発明の方法においては、折られた刷本若しくは折丁Ｓの形式であってよい刷本は、テープ駆動装置Ｔ等の搬送装置を用いて搬送される。次いで、刷本は、逸らせ胴１又は減速ドラム６等の引渡し装置へ引き渡される。折丁が搬送装置と引渡し装置との間を引き渡される場合、開いた縁部Ｏ等の、折丁の少なくとも一方の縁部がガイド機構２０によってガイドされる。微小フィンガ２２又は２８等の掴み機構は、刷本がガイド機構２０によって案内されながら、ガイド機構に設けられた微小スロット２１を通過し、折丁がガイド機構２０から排出される前に折丁の前縁ｌ又は後縁ｔを掴む。このように、折丁は、グリッパ２，３又は４，５によって確実に掴まれるまでは常にガイド機構２０によって案内される。特に、開いた縁部Ｏは、折られた刷本若しくは折丁Ｓの折られた幅Ｗの変化が何であろうとも、折丁がガイド機構２０によって掴まれる前には常に折れ込みから制限される。
【００２１】
ガイド機構２０は、理想的には、微小フィンガ２２又は２８が湾曲して微小スロット２１と整合しなくなったとしても詰まり又は重大な故障を生ぜしめないような材料から形成されている。したがって、ガイド機構２０は、ゴム又はプラスチック等の弾性的な又は硬質でない材料から製造することができるか、ガイド機構２０は、微小スロット２１を備えたブラシの形式であることができるか、フォーム又はその他の弾性的な又は硬質でない材料から形成されることができる。
【００２２】
当業者の一人によって認識されるように、ここに開示された実施例は排他的であることを意味しない。特に、しかし他の変更を制限することなく、開示された有利な実施例は、折られた又は折られていない、刷本又はシート又はあらゆる他のフレキシブルな物品のあらゆる縁部を制限するために使用することができ、逸らせ胴又は減速ドラムに制限されない。本発明の範囲を規定するのは請求項である。
【図面の簡単な説明】
【図１】本発明の内容を有する、引渡し機構を示す上面図である。
【図２】本発明の内容を示す部分斜視図である。
【図３】本発明の内容を示す部分断面側面図である。
【図４】従来の引渡し機構を示す部分断面側面図である。
【図５】従来の引渡し機構を示す部分斜視図である。
【図６】本発明において使用される、従来技術の折られた刷本若しくは折丁を示す斜視図である。
【符号の説明】
Ｓ  折られた刷本若しくは折丁、  Ｍ  裁断及び折り機構、  Ｄ  方向、  Ｆ閉じた又は折られた縁部、  Ｏ  開いた縁部、  ｌ  前縁、  ｔ  後縁、  Ｗ折られた幅、  Ｔ  テープ駆動装置、  Ｂ  ベルト、  Ｒ１，Ｒ２  方向、  １  逸らせ胴、  ２  前縁グリッパ、  ３  後縁グリッパ、  ２′，３′  フィンガ、  ４，５  前縁掴み機構、  ６  減速ドラム、  ７  スロット、  ２０  ガイド機構、  ２１  狭幅なスロット又は微小スロット、  ２２  狭幅なスロット又は微小スロット、  ２４  ガイドブラケット、  ２５  開いた側の端部、  ２６  下面、  ２７  狭幅なスロット又は微小スロット、  ２８  狭幅なフィンガ又は微小フィンガ、  １０１  引渡し装置
【図１】
0004495298.tif 000002
【図２】
0004495298.tif 000003
【図３】
0004495298.tif 000004
【図４】
0004495298.tif 000005
【図５】
0004495298.tif 000006
【図６】
0004495298.tif 000007